(57)【要約】【課題】本発明は挟み金具を配線器具取付孔より内部に挿入する場合の支持片となり、挿入後は配線器具取付孔より脱落するのを防止する脱落防止片として使用できるようにして、挟み金具と器具取付板の取付け作業を一人でも容易に楽に行なうことができ、配線器具取付孔の上下部の壁板と十分な挟着面積で、十分な強度で挟着固定することができる配線器具取付け具を得るにある。【解決手段】背面に隙間を有する部位の壁板に形成された配線器具取付孔より内部に挿入され上下部が該配線器具取付孔の上下部の壁板に係止される挟み金具を用いる配線器具取付け具において、挟み金具は器具取付板に取付けられた配線器具が挿入される挿入孔、上下部にねじ孔が形成された挟み金具本体と、この挟み金具本体と一体形成された挿入孔の両端部より他方の端部方向に突出する少なくとも一対以上の壁板への係止片と、挟み金具本体と一体形成された配線器具取付孔の上下部と係止する上下位置決め片とで配線器具取付け具を構成している。【選択図】  図９
2004328984.tif 000002
【特許請求の範囲】
【請求項１】
背面に隙間を有する部位の壁板に形成された配線器具取付孔より内部に挿入され、上下部が該配線器具取付孔の上下部の壁板に係止される挟み金具と、この挟み金具の前記配線器具取付孔内の上下部に位置する部位に形成されたねじ孔に螺合するねじを用いて、上下部が該配線器具取付孔の外側上下部の壁板に係止されるスイッチやコンセント等の配線器具が取付けられる器具取付板とからなる配線器具取付け具において、前記挟み金具は前記器具取付板に取付けられた配線器具が挿入される挿入孔および、上下部にねじ孔が形成された挟み金具本体と、この挟み金具本体と一体形成された、前記挿入孔の両端部より他方の端部方向に突出する少なくとも一対以上の係止片本体、この係止片本体に所定間隔で形成された切断用切欠溝とからなる壁板に係止させる係止片と、前記挟み金具本体と一体形成された前記配線器具取付孔の上下部と係止する上下位置決め片とからなることを特徴とする配線器具取付け具。
【請求項２】
背面に隙間を有する部位の壁板に形成された配線器具取付孔より内部に挿入され、上下部が該配線器具取付孔の上下部の壁板に係止される挟み金具と、この挟み金具の前記配線器具取付孔内の上下部に位置する部位に形成されたねじ孔に螺合するねじを用いて、上下部が該配線器具取付孔の外側上下部の壁板に係止されるスイッチやコンセント等の配線器具が取付けられる器具取付板とからなる配線器具取付け具において、前記挟み金具は前記器具取付板に取付けられた配線器具が挿入される挿入孔および中央上下部にねじ孔が形成され、外周部の少なくとも上下左右部位が背面方向に折り曲げられた補強部を有する挟み金具本体と、この挟み金具本体と一体形成された、前記挿入孔の両端部より他方の端部方向に突出する少なくとも一対以上の係止片本体、この係止片本体に所定間隔で形成された切断用切欠溝とからなる壁板に係止させる係止片と、前記挟み金具本体と一体形成された前記配線器具取付孔の上下部と係止する上下位置決め片とからなることを特徴とする配線器具取付け具。
【請求項３】
背面に隙間を有する部位の壁板に形成された配線器具取付孔より内部に挿入され、上下部が該配線器具取付孔の上下部の壁板に係止される挟み金具と、この挟み金具の前記配線器具取付孔内の上下部に位置する部位に形成されたねじ孔に螺合するねじを用いて、上下部が該配線器具取付孔の外側上下部の壁板に係止されるスイッチやコンセント等の配線器具が取付けられる器具取付板とからなる配線器具取付け具において、前記挟み金具は前記器具取付板に取付けられた配線器具が挿入される挿入孔および、上下部にねじ孔が形成された挟み金具本体と、この挟み金具本体の両側辺を配線器具が挿入される挿入孔が開口するように除去できるように形成された一対の切断用凹溝と、前記挟み金具本体の上下部の背面部位に位置するように形成された、該挟み金具本体の上下外周部および挿入孔の上下部に位置する部位を折り曲げて上下部が逆向きとなるように形成された係合片および係合部とからなる接続部と、前記挟み金具本体と一体形成された、前記挿入孔の両端部より他方の端部方向に突出する少なくとも一対以上の係止片本体、この係止片本体に所定間隔で形成された切断用切欠溝とからなる壁板に係止させる係止片と、前記挟み金具本体と一体形成された前記配線器具取付孔の上下部と係止する上下位置決め片とからなることを特徴とする配線器具取付け具。
【請求項４】
背面に隙間を有する部位の壁板に形成された配線器具取付孔より内部に挿入され、上下部が該配線器具取付孔の上下部の壁板に係止される挟み金具と、この挟み金具の前記配線器具取付孔内の上下部に位置する部位に形成されたねじ孔に螺合するねじを用いて、上下部が該配線器具取付孔の外側上下部の壁板に係止されるスイッチやコンセント等の配線器具が取付けられる器具取付板とからなる配線器具取付け具において、前記挟み金具は前記器具取付板に取付けられた配線器具が挿入される挿入孔および、上下部にねじ孔が形成された挟み金具本体と、この挟み金具本体の一側辺を配線器具が挿入される挿入孔が開口するように除去できるように形成された一対の切断用凹溝と、この切断用凹溝より除去されると、前記挟み金具本体の上下部の切断部に差し込み係合できるように形成された係合部および係合片と、前記挟み金具本体と一体形成された、前記挿入孔の両端部より他方の端部方向に突出する少なくとも一対以上の係止片本体、この係止片本体に所定間隔で形成された切断用切欠溝とからなる壁板に係止させる係止片と、前記挟み金具本体と一体形成された前記配線器具取付孔の上下部と係止する上下位置決め片とからなることを特徴とする配線器具取付け具。
【請求項５】
係止片は帯状の係止片本体と、この係止片本体を所定ピッチで小巾寸法都なるように両端部に形成された波形状の切欠部とからなることを特徴とする請求項１〜４いずれかに記載の配線器具取付け具。
【請求項６】
係止片は挟み金具本体の挿入孔の上下部の側面部位より上下面に対してほぼ３０度の傾斜で該挿入孔内に突出するように形成されていることを特徴とする請求項１〜５いずれかに記載の配線器具取付け具。
【発明の詳細な説明】
【０００１】
【発明の属する技術分野】
本発明は背面に隙間を有する部位の壁板にスイッチやコンセント等の配線器具を取付けるための配線器具取付け具に関する。
【０００２】
【従来の技術】
従来、この種の配線器具取付け具は、背面に隙間を有する部位の壁板に長方形状に形成された配線器具取付孔より内部に挿入され、上下部が該配線器具取付孔の上下部の壁板に係止される配線器具取付孔、中央部にねじ孔および配線器具取付孔の上下部より前方へ突出する配線器具挿入孔の上下部に係止される上下位置決め片とが形成された板状の挟み金具と、この挟み金具のねじ孔と螺合するねじを用いて、上下部が配線器具取付孔の外側上下部の壁板に係止されるスイッチやコンセント等の配線器具が取付けられた器具取付板とで構成されている。
【０００３】
【発明が解決しようとする課題】
従来の配線器具取付具は、板状の挟み金具を配線器具取付孔より内部へ挿入させ、上下部が該配線器具取付孔の上下部の壁板に当接するように位置させ、配線器具が取付けられる器具取付板のねじ挿入孔に挿入されたねじを挟み金具のねじ孔に螺合させ、該器具取付板の上下部を配線器具取付孔の上下部の壁板に当接し挟着固定できるように取付けている。
このため、器具取付板と挟み金具をねじで取付ける間、挟み金具を配線器具取付孔の外側より指先や先端部が直角に折り曲げられた係止治具を用いて係止させなければならず、一人で作業することができないとともに、配線器具取付孔より内部に挿入した挟み金具の係止状態を保持しなければ、隙間内に落下して回収できなくなる等の不具合が生じるという欠点があった。
また、挟み金具と器具取付板との上下部で配線器具取付孔の上下部の壁板の挟着面積が小さく、十分な強度で挟着固定することができず、器具取付板に取付けられたコンセント等を引っ張ることにより、石膏ボード等の壁板の場合、壁板が損傷するという欠点があった。
【０００４】
本発明は以上のような従来の欠点に鑑み、挟み金具を配線器具取付孔より内部に挿入する場合の支持片となり、挿入後は配線器具取付孔より脱落するのを防止する脱落防止片として使用できるようにして、挟み金具と器具取付板の取付け作業を一人でも容易に楽に行なうことができるとともに、配線器具取付孔の上下部の壁板と十分な挟着面積で、十分な強度で挟着固定することができる配線器具取付け具を提供することを目的としている。
【０００５】
本発明の前記ならびにそのそほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は背面に隙間を有する部位の壁板に形成された配線器具取付孔より内部に挿入され、上下部が該配線器具取付孔の上下部の壁板に係止される挟み金具と、この挟み金具の前記配線器具取付孔内の上下部に位置する部位に形成されたねじ孔に螺合するねじを用いて、上下部が該配線器具取付孔の外側上下部の壁板に係止されるスイッチやコンセント等の配線器具が取付けられる器具取付板とからなる配線器具取付け具において、前記挟み金具は前記器具取付板に取付けられた配線器具が挿入される挿入孔および、上下部にねじ孔が形成された挟み金具本体と、この挟み金具本体と一体形成された、前記挿入孔の両端部より他方の端部方向に突出する少なくとも一対以上の壁板への係止片と、前記挟み金具本体と一体形成された前記配線器具取付孔の上下部と係止する上下位置決め片とで配線器具取付け具を構成している。
【０００７】
【発明の実施の形態】
以下、図面に示す実施の形態により、本発明を詳細に説明する。
【０００８】
図１ないし図１２に示す本発明の第１の実施の形態において、１は背面に隙間２を有する部位の壁板３に本願発明者が考えた孔明け装置でほぼ８の字の輪郭形状の配線器具取付孔４を形成して、該配線器具取付孔４に取付けられる本発明の１個用の配線器具取付け具で、この１個用の配線器具取付け具１は前記配線器具取付孔４より内部へ挿入される挟み金具５と、この挟み金具５のねじ孔６、６にねじ７、７を螺合させて締付けることにより、前記配線器具取付孔４の上下部の壁板３を挟着固定する器具取付板８とで構成されている。
【０００９】
前記挟み金具５は図３ないし図６に示すように、ほぼ長方形状の前記器具取付板８に取付けられたスイッチやコンセント等の配線器具９を挿入できる挿入孔１０が形成された板状の挟み金具本体１１と、この挟み金具本体１１の上下部の中央部で、前記配線器具取付孔４内に位置する部位に形成されたねじ孔６、６と、前記挟み金具本体１１の外周部を背面側に折り曲げて形成した補強部１２と、前記挟み金具本体１１の前記ねじ孔６、６の両側上部寄りの部位にコ字状に切り欠いて前方へ突出できるようにあるいは突出させた本発明の実施の形態では前方へ突出できるように前記配線器具取付孔４の上下部と係止する上下位置決め片１３、１３、１３、１３と、前記挟み金具本体１１と一体形成された前記挿入孔１０の両端部より他方の端部方向に突出する少なくとも一対以上、本発明の実施の形態では２対の壁３に係止することができる係止片１４、１４、１４、１４とで構成されている。
【００１０】
前記係止片１４、１４、１４、１４は図７および図８に示すように、先端部につまみ部１５が形成された係止片本体１６と、この係止片本体１６の上下面のいずれかに所定間隔で形成された切断用切欠溝１７と、この切断用切欠溝１７の両端部の前記係止片本体１６に形成された切欠部１８、１８とで構成されている。
【００１１】
前記器具取付板８は従来から一般に使用されている図９および図１０に示すようなスイッチやコンセント等、本発明の実施の形態ではコンセントの配線器具９が取付けられた器具取付板本体１９と、この器具取付板本体１９の上下部に形成された前記配線器具取付孔４の上下部の壁板３と当接する当接片２０、２０と、この当接片２０、２０の前記挟み金具５のねじ孔６、６と対応する部位に形成されたねじ挿入孔２１、２１とで構成されている。
【００１２】
上記構成の１個用の配線器具取付け具１は挟み金具５の係止片１４、１４、１４、１４のいずれかを持って配線器具取付孔４より内部へ挿入し、上下部を上下位置決め片１３、１３、１３、１３を配線器具取付孔４の上下部の周縁部に係止させるとともに、係止片１４、１４、１４、１４を図１１および図１２に示すように配線器具取付孔４の周縁部の壁板３に沿うように折り曲げ、工具を用いて該壁板３に沿うように曲げ係止片１４、１４、１４、１４で取付けた状態にして、余分な部分を切断用切欠溝１７部分より除去する。
【００１３】
この状態で、配線器具９が取付けられた器具取付板８のねじ挿入孔２１、２１にねじ７、７を通して、挟み金具５のねじ孔６、６にねじ７、７を螺合させて締付けることにより、図２に示すように挟み金具５のねじ孔６、６よりも上下部位と器具取付板８のねじ挿入孔２１、２１の上下部位とで配線器具取付孔４の上下部位の壁板３を挟着固定した状態で取付けることができる。
【００１４】
この時、配線器具取付孔４がほぼ８字状の輪郭形状であるため、挟み金具５と器具取付板８との挟着面積が大きくなり、確実に挟着固定することができる。
【００１５】
なお、従来と同様な長方形状に形成した配線器具取付孔を用いても、挟み金具５の係止片１４を持って配線器具取付孔内へ楽に挿入し、該部位に楽に保持することができるとともに、配線器具取付孔の周縁部の壁板３に係止片１４、１４、１４、１４によって係止状態に取付けることができ、挟み金具５を隙間２内へ落下させたり、２人で作業しなくても容易に確実に取付けることができる。
【００１６】
【発明の異なる実施の形態】
次に、図１３ないし図６５に示す本発明の異なる実施の形態につき説明する。なお、これらの本発明の異なる実施の形態の説明に当って、前記本発明の第１の実施の形態と同一構成部分には同一符号を付して重複する説明を省略する。
【００１７】
図１３ないし図１５に示す本発明の第２の実施の形態において、前記本発明の第１の実施の形態と主に異なる点は、２個の配線器具９、９を並列状態で挿入できる挿入孔１０Ａおよび４個のねじ孔６、６、６、６が形成された挟み金具本体１１Ａを用いた挟み金具５Ａと、２個の器具取付板８、８とを用いた点で、このように構成した２個用の配線器具取付け具１Ａにしても、前記本発明の第１の実施の形態と同様な作用効果が得られる。
【００１８】
図１６ないし図１８に示す本発明の第３の実施の形態において、前記本発明の第１の実施の形態と主に異なる点は、３個の配線器具９、９、９を並列状態で挿入できる挿入孔１０Ｂおよび６個のねじ孔６、６、６、６、６、６が形成された挟み金具本体１１Ｂを用いた挟み金具５Ｂと、３個の器具取付板８、８、８とを用いた点で、このように構成した３個用の配線器具取付け具１Ｂにしても、前記本発明の第１の実施の形態と同様な作用効果が得られる。
【００１９】
図１９ないし図２６に示す本発明の第４の実施の形態において、前記本発明の第１の実施の形態と主に異なる点は、一側辺１１ｘを配線器具が挿入される挿入孔１０が開口するように除去できるように形成された切断用凹溝２２を形成した挟み金具本体１１Ｃと、この挟み金具本体１１Ｃの上下部の切断部に差し込み係合できるように形成された係合部２３、係合片２４およびこの係合片２４側に残る側壁１１ａに形成された係止凹部２３ａ、前記係合部２３側の側壁１１ｂに形成された係止凹部２３ａに係止される係止片２４ａとを形成した挟み金具５Ｃを用いた点で、このように形成された挟み金具５Ｃを用いて構成した１個用の配線器具取付け具１Ｃにしても、前記本発明の第１の実施の形態と同様な作用効果が得られるとともに、一側辺を切断用凹溝２２より除去した２個の挟み金具５Ｃ、５Ｃを用いて、図２４および図２５に示すように係合部２３、２３と係合片２４、２４とを差し込み係合させることにより、係止凹部２３ａ、２３ａに係止片２４ａ、２４ａが係止され容易に抜け脱するのを防止できるように接続された２個用の配線器具取付け具１Ｄとして使用することができる。
【００２０】
図２７ないし図３５に示す本発明の第５の実施の形態において、前記本発明の第２の実施の形態と主に異なる点は、挟み金具本体１１Ａの一側辺を配線器具が挿入される挿入孔１０Ａが開口するように除去できるように形成された切断用凹溝２２と、この切断用凹溝２２より除去されると挟み金具本体１１Ａの上下部の切断部に差し込み係合できるように形成された係合部２３および係合片２４とを形成した挟み金具５Ｄを用いた点で、このように形成された挟み金具５Ｄを用いて構成した２個用の配線器具取付け具１Ｅにしても、前記本発明の第２の実施の形態と同様な作用効果が得られるとともに、一側辺を切断用凹溝２２より除去するとともに、前記本発明の第４の実施の形態の１個用の配線器具取付け具１Ｃの一側辺を図３２および図３３に示すように切断用凹溝２２より除去したものとを用いて、図３４に示すように係合部２３、２３と係合片２４、２４とを差し込み係合させることにより、３個用の配線器具取付け具１Ｆとして使用することができる。
また、２個用の配線器具取付け具１Ｅの一側辺を切断用凹溝２２より除去したものを２個用いて、図３５に示すように係合部２３、２３と係合片２４、２４とを差し込み係合させることにより、４個用の配線器具取付け具１Ｇとして使用することができる。
なお、本発明の実施の形態では側壁１１ａに係止凹部２３ａや側壁１１ｂに係止片２４ａを形成していないものに付いて説明したが、本発明はこれに限らず、これらを前記本発明の第４の実施の形態と同様に形成しても良い。
【００２１】
図３６ないし図４１に示す本発明の第６の実施の形態において、前記本発明の第４の実施の形態と主に異なる点は、挟み金具本体１１の両側辺を配線器具が挿入される挿入孔１０が開口するように除去できるように形成された一対の切断用凹溝２２、２２を形成した挟み本体５Ｅを用いた点で、このように形成され挟み金具５Ｅを用いた１個用の配線器具取付け具１Ｈにしても、前記本発明の第４の実施の形態と同様な作用効果が得られるとともに、図４０に示すように挟み金具本体１１の一方の切断用凹溝２２より除去した２個の挟み金具５Ｅ、５Ｅを接続部２５、２５の係合部２３Ａ、２３Ａと係合片２４Ａ、２４Ａとを係合させることにより、２個用の配線器具取付け具１Ｉとして使用することができる。
また、一対の切断用凹溝２２、２２より除去したものと挟み金具本体１１の一方の切断用凹溝２２より除去した２個の挟み金具５Ｅ、５Ｅをを使用することにより、図４１に示すように３個用の配線器具取付け具１Ｊとして使用することができる。
なお、本発明の実施の形態では側壁１１ａに係止凹部２３ａや側壁１１ｂに係止片２４ａを形成していないものに付いて説明したが、本発明はこれに限らず、これらを前記本発明の第４の実施の形態と同様に形成しても良い。
【００２２】
図４２ないし図４４に示す本発明の第７の実施の形態において、前記本発明の第１の実施の形態と主に異なる点は、係止片本体１６のいずれか一方の面に切断用切欠溝１７を形成するとともに、係止片本体１６の他方の面に使用される壁板３の厚さ寸法を刻印２６した一対の係止片１４Ａ、１４Ａを用いた挟み金具５Ｆを用いた点で、このような挟み金具５Ｆを用いて構成した配線器具取付け具１Ｋにしても、前記本発明の第１の実施の形態と同様な作用効果が得られる。
【００２３】
図４５ないし図４７に示す本発明の第８の実施の形態において、前記本発明の第１の実施の形態と主に異なる点は、先端部につまみ部のない一対の係止片１４Ｂ、１４Ｂを用いた挟み金具５Ｇを用いた点で、このような挟み金具５Ｇを用いて構成した配線器具取付け具１Ｌにしても、前記本発明の第１の実施の形態と同様な作用効果が得られる。
【００２４】
図４８ないし図５１に示す本発明の第９の実施の形態において、前記本発明の第８の実施の形態と主に異なる点は、根元部１４ａが容易に折り曲げできるように小巾寸法に形成されるとともに、根元部１４ａからほぼ中央部まで容易に折り曲げできるように切断用切欠溝１７および切欠部１８を形成し、ほぼ中央部から直角に折り曲げられた係止部１４ｂまでは切断用切欠溝１７だけを形成した一対の係止片１４Ｃ、１４Ｃを用いた挟み金具５Ｈを用いた点で、このような挟み金具５Ｈを用いて構成した配線器具取付け具１Ｍにしても、前記本発明の第１の実施の形態と同様な作用効果が得られるとともに、図５０に示すように配線器具取付孔４の外側周縁部に一対の係止片１４Ｃ、１４Ｃの係止部１４ｂ、１４ｂを位置させ、中央部側を押し込むことにより一対の係止片１４Ｃ、１４Ｃが配線器具取付孔４の外側周縁部に取り付いた状態に容易にできる。
【００２５】
図５２ないし図５４に示す本発明の第１０の実施の形態において、前記本発明の第９の実施の形態と主に異なる点は、挟み金具本体１１の挿入孔１０の上下部の側面部位より上下面に対してほぼ３０度の傾斜で該挿入孔１０内に突出するように帯状の係止片本体１６、この係止片本体１６を所定ピッチで小巾寸法となるように両端部に形成された波形状の切欠部１８Ａ、１８Ａとからなる係止片１４Ｄ、１４Ｄを用いた挟み金具５Ｉを用いた点で、このような挟み金具５Ｉを用いて構成した配線器具取付け具１Ｎにしても良い。
【００２６】
図５５ないし図５９に示す本発明の第１１の実施の形態において、前記本発明の第１０の実施の形態と主に異なる点は、一側辺１１ｘを配線器具が挿入される挿入孔１０が開口するように除去できるように形成された切断用凹溝２２を形成した挟み金具本体１１Ｃと、この挟み金具本体１１Ｃの上下部の切断部に差し込み係合できるように形成された２個の切欠部２３ｂ、２３ｂ間に凹部２３ｃを形成して形成された係合部２３Ａ、係止突起部２４ａを有する係合片２４Ａを形成するとともに、２個用に接続した場合に仕切り板２７の上部両端部に形成した係合片２８、２８の係合突起２９、２９と係止する係止孔３０を形成した挟み金具５Ｊを用いた点で、このように形成された挟み金具５Ｊを用いて構成した配線器具取付け具１Ｏにしても良い。
【００２７】
図６０ないし図６２に示す本発明の第１２の実施の形態において、前記本発明の第１１の実施の形態と主に異なる点は、２個用の大きさの挟み金具本体１１Ｄを使用した挟み金具５Ｋを用いた点で、このように形成された挟み金具５Ｋを用いて構成した配線器具取付け具１Ｐにしても良い。
【００２８】
図６３ないし図６５に示す本発明の第１３の実施の形態において、前記本発明の第１１の実施の形態と主に異なる点は、３個用の大きさの挟み金具本体１１Ｅを使用した挟み金具５Ｌを用いた点で、このように形成された挟み金具５Ｌを用いて構成した配線器具取付け具１Ｑにしても良い。
【００２９】
【発明の効果】
以上の説明から明らかなように、本発明にあっては次に列挙する効果が得られる。
【００３０】
（１）背面に隙間を有する部位の壁板に形成された配線器具取付孔より内部に挿入され、上下部が該配線器具取付孔の上下部の壁板に係止される挟み金具と、この挟み金具の前記配線器具取付孔内の上下部に位置する部位に形成されたねじ孔に螺合するねじを用いて、上下部が該配線器具取付孔の外側上下部の壁板に係止されるスイッチやコンセント等の配線器具が取付けられる器具取付板とからなる配線器具取付け具において、前記挟み金具は前記器具取付板に取付けられた配線器具が挿入される挿入孔および、上下部にねじ孔が形成された挟み金具本体と、この挟み金具本体と一体形成された、前記挿入孔の両端部より他方の端部方向に突出する少なくとも一対以上の係止片本体、この係止片本体に所定間隔で形成された切断用切欠溝とからなる壁板に係止させる係止片と、前記挟み金具本体と一体形成された前記配線器具取付孔の上下部と係止する上下位置決め片とで構成されているので、係止片の先端部を支持した状態で配線器具取付孔内へ挟み金具を挿入し、その状態を保持することができるとともに、係止片を折り曲げて配線器具取付孔の周縁部の壁板に挟み金具を係止させることができる。
したがって、器具取付板を２本のねじで取付ける作業を一人で、挟み金具の壁板の隙間部位への落下を心配することなく、楽に行なうことができる。
【００３１】
（２）前記（１）によって、少なくとも一対以上の係止片によって挟み金具を配線器具取付孔の周縁部の壁板に位置決め状態で係止することができ、不要な部分は切断用切欠溝より簡単に除去することができる。
したがって、配線器具取付孔の上下部の壁板への挟着寸法をほぼ同一寸法に設定することができ、確実に強固に挟み金具と器具取付板とで挟着固定することができるとともに、一対以上の係止片が他の作業の邪魔になるのを効率良く阻止することができる。
【００３２】
（３）請求項２も前記（１）、（２）と同様な効果が得られるとともに、挟み金具の強度を増強することができる。
【００３３】
（４）請求項３も前記（１）、（２）と同様な効果が得られるとともに、２個用、３個用として使用することができる。
【００３４】
（５）請求項４も前記（１）、（２）と同様な効果が得られるとともに、２個用としても使用することができる。
【００３５】
（６）請求項５は係止片の配線器具取付孔の周縁部の壁板に係止させた後の不用部分の除去作業をさらに容易に行なうことができる。
【００３６】
（７）請求項６は係止片の刻印により、取付けられる壁板の厚さ寸法部分を楽に折り曲げることができる。
【図面の簡単な説明】
【図１】本発明の第１の実施の形態の取付け状態の正面図。
【図２】図１の２−２線に沿う断面図。
【図３】本発明の第１の実施の形態の挟み金具の正面図。
【図４】本発明の第１の実施の形態の挟み金具の背面図。
【図５】本発明の第１の実施の形態の挟み金具の平面図。
【図６】本発明の第１の実施の形態の挟み金具の側面図。
【図７】本発明の第１の実施の形態の係止片の正面図。
【図８】本発明の第１の実施の形態の係止片の平面図。
【図９】本発明の第１の実施の形態の器具取付板の正面図。
【図１０】本発明の第１の実施の形態の器具取付板の側面図。
【図１１】本発明の第１の実施の形態の挟み金具の係止状態の説明図。
【図１２】本発明の第１の実施の形態の挟み金具の係止片の係止作業の説明図。
【図１３】本発明の第２の実施の形態の取付け状態の正面図。
【図１４】本発明の第２の実施の形態の挟み金具の正面図。
【図１５】本発明の第２の実施の形態の挟み金具の平面図。
【図１６】本発明の第３の実施の形態の取付け状態の正面図。
【図１７】本発明の第３の実施の形態の挟み金具の正面図。
【図１８】本発明の第３の実施の形態の挟み金具の平面図。
【図１９】本発明の第４の実施の形態の取付け状態の正面図。
【図２０】本発明の第４の実施の形態の挟み金具の正面図。
【図２１】本発明の第４の実施の形態の挟み金具の背面図。
【図２２】図２０の２２−２２線に沿う拡大断面図。
【図２３】図２０の２３−２３線に沿う拡大断面図。
【図２４】切断用凹溝より除去した挟み金具の正面図。
【図２５】切断用凹溝より除去部分を示す挟み金具の側面図。
【図２６】２個用にした使用状態の説明図。
【図２７】本発明の第５の実施の形態の取付け状態の正面図。
【図２８】本発明の第５の実施の形態の挟み金具の正面図。
【図２９】本発明の第５の実施の形態の挟み金具の背面図。
【図３０】図２８の３０−３０線に沿う拡断面図。
【図３１】図２８の３１−３１線に沿う拡断面図。
【図３２】切断用凹溝より除去した挟み金具の正面図。
【図３３】切断用凹溝より除去部分を示す挟み金具の側面図。
【図３４】３個用にした使用状態の説明図。
【図３５】４個用にした使用状態の説明図。
【図３６】本発明の第６の実施の形態の取付け状態の正面図。
【図３７】本発明の第６の実施の形態の挟み金具の正面図。
【図３８】本発明の第６の実施の形態の挟み金具の背面図。
【図３９】図３７の３９−３９線に沿う拡大断面図。
【図４０】２個用としての使用説明図。
【図４１】３個用としての使用説明図。
【図４２】本発明の第７の実施の形態の取付け状態の正面図。
【図４３】本発明の第７の実施の形態の挟み金具の正面図。
【図４４】本発明の第７の実施の形態の係止片の説明図。
【図４５】本発明の第８の実施の形態の取付け状態の正面図。
【図４６】本発明の第８の実施の形態の挟み金具の正面図。
【図４７】本発明の第８の実施の形態の係止片の説明図。
【図４８】本発明の第９の実施の形態の取付け状態の正面図。
【図４９】本発明の第９の実施の形態の挟み金具の正面図。
【図５０】本発明の第９の実施の形態の係止片の説明図。
【図５１】本発明の第９の実施の形態の挟み金具の係止片の係止作業の説明図。
【図５２】本発明の第１０の実施の形態の取付け状態の正面図。
【図５３】本発明の第１０の実施の形態の挟み金具の正面図。
【図５４】本発明の第１０の実施の形態の係止片の説明図。
【図５５】本発明の第１１の実施の形態の取付け状態の正面図。
【図５６】本発明の第１１の実施の形態の取付け状態の底面図。
【図５７】本発明の第１１の実施の形態の一側辺１１ｘを除去した説明図。
【図５８】本発明の第１１の実施の形態の２個用にした状態の説明図。
【図５９】本発明の第１１の実施の形態の仕切り板の説明図。
【図６０】本発明の第１２の実施の形態の取付け状態の正面図。
【図６１】本発明の第１２の実施の形態の３個用にした状態の説明図。
【図６２】本発明の第１２の実施の形態の４個用にした状態の説明図。
【図６３】本発明の第１３の実施の形態の取付け状態の正面図。
【図６４】本発明の第１３の実施の形態の４個用にした状態の説明図。
【図６５】本発明の第１３の実施の形態の５個用にした状態の説明図。
【符号の説明】
１、１Ａ〜１Ｑ：配線器具取付具、
２：隙間、              ３：壁板、
４：配線器具取付孔、    ５、５Ａ〜５Ｌ：挟み金具、
６：ねじ孔、            ７：ねじ、
８：器具取付板、        ９：配線器具、
１０、１０Ａ、１０Ｂ：挿入孔、
１１、１１Ａ〜１１Ｅ：挟み金具本体、
１２：補強部、          １３：上下位置決め片、
１４、１４Ａ〜１４Ｄ：係止片、
１５：つまみ部、        １６：係止片本体、
１７：切断用切欠溝、    １８：切欠部、
１９：器具取付板本体、  ２０：当接片、
２１：ねじ挿入孔、      ２２：切断用凹溝、
２３、２３Ａ：係合部、  ２４、２４Ａ：係合片、
２５：接続部、          ２６：刻印、
２７：仕切り板、        ２８：係合片、
２９：係合突起、        ３０：係止孔。
【図１】
2004328984.tif 000003
【図２】
2004328984.tif 000004
【図３】
2004328984.tif 000005
【図４】
2004328984.tif 000006
【図５】
2004328984.tif 000007
【図６】
2004328984.tif 000008
【図７】
2004328984.tif 000009
【図８】
2004328984.tif 000010
【図９】
2004328984.tif 000011
【図１０】
2004328984.tif 000012
【図１１】
2004328984.tif 000013
【図１２】
2004328984.tif 000014
【図１３】
2004328984.tif 000015
【図１４】
2004328984.tif 000016
【図１５】
2004328984.tif 000017
【図１６】
2004328984.tif 000018
【図１７】
2004328984.tif 000019
【図１８】
2004328984.tif 000020
【図１９】
2004328984.tif 000021
【図２０】
2004328984.tif 000022
【図２１】
2004328984.tif 000023
【図２２】
2004328984.tif 000024
【図２３】
2004328984.tif 000025
【図２４】
2004328984.tif 000026
【図２５】
2004328984.tif 000027
【図２６】
2004328984.tif 000028
【図２７】
2004328984.tif 000029
【図２８】
2004328984.tif 000030
【図２９】
2004328984.tif 000031
【図３０】
2004328984.tif 000032
【図３１】
2004328984.tif 000033
【図３２】
2004328984.tif 000034
【図３３】
2004328984.tif 000035
【図３４】
2004328984.tif 000036
【図３５】
2004328984.tif 000037
【図３６】
2004328984.tif 000038
【図３７】
2004328984.tif 000039
【図３８】
2004328984.tif 000040
【図３９】
2004328984.tif 000041
【図４０】
2004328984.tif 000042
【図４１】
2004328984.tif 000043
【図４２】
2004328984.tif 000044
【図４３】
2004328984.tif 000045
【図４４】
2004328984.tif 000046
【図４５】
2004328984.tif 000047
【図４６】
2004328984.tif 000048
【図４７】
2004328984.tif 000049
【図４８】
2004328984.tif 000050
【図４９】
2004328984.tif 000051
【図５０】
2004328984.tif 000052
【図５１】
2004328984.tif 000053
【図５２】
2004328984.tif 000054
【図５３】
2004328984.tif 000055
【図５４】
2004328984.tif 000056
【図５５】
2004328984.tif 000057
【図５６】
2004328984.tif 000058
【図５７】
2004328984.tif 000059
【図５８】
2004328984.tif 000060
【図５９】
2004328984.tif 000061
【図６０】
2004328984.tif 000062
【図６１】
2004328984.tif 000063
【図６２】
2004328984.tif 000064
【図６３】
2004328984.tif 000065
【図６４】
2004328984.tif 000066
【図６５】
2004328984.tif 000067